(57)【特許請求の範囲】
【請求項１】
複数の移動局を搭載する移動体と複数の基地局に接続される地上通信制御装置との間で複数の無線通信経路が存在する通信システムにおける前記移動局であって、
前記基地局との間でデータ送受信を行う送受信部と、
前記移動体の識別情報と、前記移動局の識別情報または前記基地局の識別情報とを用いて、前記地上通信制御装置への前記移動局の位置登録を行うか否かを判定する制御部と、
を備え、
前記制御部は、前記移動体の識別情報が偶数か奇数かを判定し、前記移動局の識別情報が偶数か奇数かを判定し、前記移動体の識別情報および前記移動局の識別情報がともに偶数または奇数の場合、または、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定する、
ことを特徴とする移動局。
【請求項２】
複数の前記移動局として、前記移動局の識別情報が偶数の前記移動局、および前記移動局の識別情報が奇数の前記移動局が前記移動体に搭載される、
ことを特徴とする請求項１に記載の移動局。
【請求項３】
複数の移動局を搭載する移動体と複数の基地局に接続される地上通信制御装置との間で複数の無線通信経路が存在する通信システムにおける前記基地局であって、
前記移動局との間でデータ送受信を行う送受信部と、
前記移動体の識別情報と、前記基地局の識別情報とを用いて、前記地上通信制御装置への前記移動局の位置登録を制御する制御部と、
を備え、
前記制御部は、前記移動体の識別情報と、前記基地局の識別情報とを用いて、前記地上通信制御装置への前記移動局の位置登録を行うか否かを判定する際、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定する、
ことを特徴とする基地局。
【請求項４】
複数の移動局を搭載する移動体と複数の基地局に接続される地上通信制御装置との間で複数の無線通信経路が存在する通信システムにおける前記基地局であって、
前記移動局との間でデータ送受信を行う送受信部と、
前記移動体の識別情報と、前記基地局の識別情報とを用いて、前記地上通信制御装置への前記移動局の位置登録を制御する制御部と、
を備え、
前記制御部は、前記移動体の識別情報と、前記基地局の識別情報とを用いて、前記地上通信制御装置への前記移動局の位置登録の際、前記移動局に対して前記移動局から前記基地局へのアップリンク方向の無線リソースを割り当てるか否かを判定し、前記移動体の識別情報および前記基地局の識別情報がともに偶数または奇数の場合、前記移動局に対して前記移動局から前記基地局へのアップリンク方向の無線リソースを割り当てると判定する、
ことを特徴とする基地局。
【請求項５】
複数の請求項１または２に記載の移動局と、
複数の基地局と、
を備えることを特徴とする通信システム。
【請求項６】
複数の移動局と、
複数の請求項３または４に記載の基地局と、
を備えることを特徴とする通信システム。
【請求項７】
複数の移動局を搭載する移動体と複数の基地局に接続される地上通信制御装置との間で複数の無線通信経路が存在する通信システムにおける前記移動局を制御するための制御回路であって、
前記基地局との間でデータ送受信、
前記移動体の識別情報と、前記移動局の識別情報または前記基地局の識別情報とを用いて、前記地上通信制御装置への前記移動局の位置登録を行うか否かの判定において、前記移動体の識別情報が偶数か奇数かを判定し、前記移動局の識別情報が偶数か奇数かを判定し、前記移動体の識別情報および前記移動局の識別情報がともに偶数または奇数の場合、または、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定、
を移動局に実施させることを特徴とする制御回路。
【請求項８】
複数の移動局を搭載する移動体と複数の基地局に接続される地上通信制御装置との間で複数の無線通信経路が存在する通信システムにおける前記基地局を制御するための制御回路であって、
前記移動局との間でデータ送受信、
前記移動体の識別情報と、前記基地局の識別情報とを用いて、前記地上通信制御装置への前記移動局の位置登録の制御において、前記移動体の識別情報と、前記基地局の識別情報とを用いて、前記地上通信制御装置への前記移動局の位置登録を行うか否かを判定する際、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定、
を基地局に実施させることを特徴とする制御回路。
【請求項９】
複数の移動局を搭載する移動体と複数の基地局に接続される地上通信制御装置との間で複数の無線通信経路が存在する通信システムにおける前記移動局を制御するプログラムを記憶した記憶媒体であって、
前記プログラムは、
前記基地局との間でデータ送受信、
前記移動体の識別情報と、前記移動局の識別情報または前記基地局の識別情報とを用いて、前記地上通信制御装置への前記移動局の位置登録を行うか否かの判定において、前記移動体の識別情報が偶数か奇数かを判定し、前記移動局の識別情報が偶数か奇数かを判定し、前記移動体の識別情報および前記移動局の識別情報がともに偶数または奇数の場合、または、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定、
を移動局に実施させることを特徴とする記憶媒体。
【請求項１０】
複数の移動局を搭載する移動体と複数の基地局に接続される地上通信制御装置との間で複数の無線通信経路が存在する通信システムにおける前記基地局を制御するプログラムを記憶した記憶媒体であって、
前記プログラムは、
前記移動局との間でデータ送受信、
前記移動体の識別情報と、前記基地局の識別情報とを用いて、前記地上通信制御装置への前記移動局の位置登録の制御において、前記移動体の識別情報と、前記基地局の識別情報とを用いて、前記地上通信制御装置への前記移動局の位置登録を行うか否かを判定する際、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定、
を基地局に実施させることを特徴とする記憶媒体。
【請求項１１】
複数の移動局を搭載する移動体と複数の基地局に接続される地上通信制御装置との間で複数の無線通信経路が存在する通信システムにおける前記移動局における通信制御方法であって、
送受信部が、前記基地局との間でデータ送受信を行うデータ送受信ステップと、
制御部が、前記移動体の識別情報と、前記移動局の識別情報または前記基地局の識別情報とを用いて、前記地上通信制御装置への前記移動局の位置登録を行うか否かの判定において、前記移動体の識別情報が偶数か奇数かを判定し、前記移動局の識別情報が偶数か奇数かを判定し、前記移動体の識別情報および前記移動局の識別情報がともに偶数または奇数の場合、または、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定する制御ステップと、
を含むことを特徴とする通信制御方法。
【請求項１２】
複数の移動局を搭載する移動体と複数の基地局に接続される地上通信制御装置との間で複数の無線通信経路が存在する通信システムにおける前記基地局における通信制御方法であって、
送受信部が、前記移動局との間でデータ送受信を行うデータ送受信ステップと、
制御部が、前記移動体の識別情報と、前記基地局の識別情報とを用いて、前記地上通信制御装置への前記移動局の位置登録の制御において、前記移動体の識別情報と、前記基地局の識別情報とを用いて、前記地上通信制御装置への前記移動局の位置登録を行うか否かを判定する際、前記移動体の識別情報が偶数か奇数かを判定し、前記基地局の識別情報が偶数か奇数かを判定し、前記移動体の識別情報および前記基地局の識別情報がともに偶数または奇数の場合、前記地上通信制御装置への前記移動局の位置登録を行うと判定する制御ステップと、
を含むことを特徴とする通信制御方法。
【発明の詳細な説明】
【技術分野】
【０００１】
本開示は、移動体に搭載される移動局、基地局、通信システム、制御回路、記憶媒体および通信制御方法に関する。
【背景技術】
【０００２】
列車、バスなどの移動体に対して、無線通信を用いて自動運転などの制御を行うシステムが検討されている。移動体への制御では、一定周期でのユーザデータ通信が必要な場合がある。しかしながら、移動体が移動することによって、移動体が接続する基地局を変更するハンドオーバが発生する。ハンドオーバが発生すると、一般的にユーザデータ通信が断となる。このような問題に対して、特許文献１には、移動体の前後に複数の無線機を配置することで、ハンドオーバ時においても１つの無線機が通信状態を維持する技術が開示されている。
【先行技術文献】
【特許文献】
【０００３】
【特許文献１】特開２０１８−１２７１７９号公報
【発明の概要】
【発明が解決しようとする課題】
【０００４】
列車、バスなどの移動体は、駅、営業所など特定の場所に集まる場合がある。１つの基地局がカバーするエリア（以下、セルと称する）内に多数の移動体が集まると、移動体に配置された多数の移動局が１つの基地局に位置登録されることになる。【０００５】
１つの基地局に位置登録される移動局の数が一定周期内に基地局が割り当て可能な移動局から基地局方向（以下、アップリンクと称する）の無線リソース数より多くなると、基地局は、位置登録されている一部の移動局に対して、一定周期でアップリンクの無線リソースを割り当てることが出来なくなる、という問題があった。具体的には、自動運転、音声サービスなどのように一定周期で必ずユーザデータ通信が必要なアプリケーションにおいて、サービス品質を維持できなくなる。【０００６】
本開示は、上記に鑑みてなされたものであって、複数の移動局が存在するセルにおいてサービス品質の低下を抑制可能な移動局を得ることを目的とする。
【課題を解決するための手段】
【０００７】
上述した課題を解決し、目的を達成するために、本開示は、複数の移動局を搭載する移動体と複数の基地局に接続される地上通信制御装置との間で複数の無線通信経路が存在する通信システムにおける移動局である。移動局は、基地局との間でデータ送受信を行う送受信部と、移動体の識別情報と、移動局の識別情報または基地局の識別情報とを用いて、地上通信制御装置への移動局の位置登録を行うか否かを判定する制御部と、を備える。制御部は、移動体の識別情報が偶数か奇数かを判定し、移動局の識別情報が偶数か奇数かを判定し、移動体の識別情報および移動局の識別情報がともに偶数または奇数の場合、または、移動体の識別情報が偶数か奇数かを判定し、基地局の識別情報が偶数か奇数かを判定し、移動体の識別情報および基地局の識別情報がともに偶数または奇数の場合、地上通信制御装置への移動局の位置登録を行うと判定することを特徴とする。
【発明の効果】
【０００８】
本開示に係る移動局は、複数の移動局が存在するセルにおいてサービス品質の低下を抑制できる、という効果を奏する。
【図面の簡単な説明】
【０００９】
【図１】実施の形態１に係る通信システムの構成例を示す図
【図２】実施の形態１に係る基地局の構成例を示すブロック図
【図３】実施の形態１に係る移動局の構成例を示すブロック図
【図４】実施の形態１に係る通信システムにおける移動体の移動局による位置登録の制御例を示すシーケンス図
【図５】実施の形態１に係る移動体の移動局による移動体識別番号および移動局識別番号を用いた位置登録の判定を示すフローチャート
【図６】実施の形態１に係る移動局が保持する基地局識別番号リストの例を示す図
【図７】実施の形態１に係る地上通信制御装置が保持する移動体についての位置登録情報の例を示す図
【図８】実施の形態１に係る基地局が保持する位置登録情報の例を示す図
【図９】実施の形態１に係る車上通信制御装置が保持する移動局の通信状態情報の例を示す図
【図１０】実施の形態１に係る移動局が備える処理回路をプロセッサおよびメモリで実現する場合の処理回路の構成例を示す図
【図１１】実施の形態１に係る移動局が備える処理回路を専用のハードウェアで構成する場合の処理回路の例を示す図
【図１２】実施の形態２に係る移動体の移動局による移動体識別番号および基地局識別番号を用いた位置登録の判定を示すフローチャート
【図１３】実施の形態３に係る通信システムにおける基地局による移動体の移動局の位置登録の制御例を示すシーケンス図
【図１４】実施の形態３に係る基地局による移動体識別番号および基地局識別番号を用いた位置登録の判定を示すフローチャート
【図１５】実施の形態４に係る通信システムにおける基地局による移動体の移動局に対するアップリンクの無線リソースの割り当ての制御例を示すシーケンス図
【図１６】実施の形態４に係る基地局による移動体識別番号および基地局識別番号を用いたアップリンク無線リソース割り当ての判定を示すフローチャート
【図１７】実施の形態４に係る地上通信制御装置が保持する移動体についての位置登録情報の例を示す図
【図１８】実施の形態４に係る基地局が保持する位置登録情報の例を示す図
【発明を実施するための形態】
【００１０】
以下に、本開示の実施の形態に係る移動局、基地局、通信システム、制御回路、記憶媒体および通信制御方法を図面に基づいて詳細に説明する。なお、以下の説明では、移動体を列車とした前提で説明するが、これに限定されない。
【００１１】
実施の形態１．
図１は、実施の形態１に係る通信システム１の構成例を示す図である。通信システム１は、アプリサーバ１００と、地上通信制御装置１０１と、基地局１０２，１０３と、移動体１１０と、を備える。
【００１２】
アプリサーバ１００は、音声サービス、列車の自動運転など一定周期でアップリンクのユーザデータ通信が必要なサービスを実現するサーバである。アプリサーバ１００は、移動体１１０の端末１０９と通信を行う。
【００１３】
地上通信制御装置１０１は、アプリサーバ１００および基地局１０２，１０３と接続している。地上通信制御装置１０１は、アプリサーバ１００からのデータを端末１０９まで届けるため、無線通信を行う基地局１０２，１０３に転送する。また、地上通信制御装置１０１は、基地局１０２，１０３から転送されてきた端末１０９からのデータを、アプリサーバ１００に転送する。
【００１４】
基地局１０２は、識別情報、すなわち基地局識別番号として「１０２」を持ち、セル１０４を構成している。基地局１０３は、識別情報、すなわち基地局識別番号として「１０３」を持ち、セル１０５を構成している。通信システム１においてセル１０４，１０５はオーバラップしており、移動体１１０は、セル１０４，１０５がオーバラップした領域に存在しているものとする。以降の説明において、基地局識別番号のことを基地局の識別情報と称する場合がある。
【００１５】
移動体１１０は、識別情報、すなわち移動体識別番号として「１１０」を持つ。以降の説明において、移動体識別番号のことを移動体の識別情報と称する場合がある。移動体１１０は、移動局１０６，１０７と、車上通信制御装置１０８と、端末１０９と、を備える。
【００１６】
移動局１０６は、識別情報、すなわち移動局識別番号として「１０６」を持つ。移動局１０６は、図１の左向きにアンテナの指向性を向け、セル１０４を構成する基地局１０２との接続を試みる。移動局１０７は、識別情報、すなわち移動局識別番号として「１０７」を持つ。移動局１０７は、図１の右向きにアンテナの指向性を向け、セル１０５を構成する基地局１０３との接続を試みる。以降の説明において、移動局識別番号のことを移動局の識別情報と称する場合がある。
【００１７】
車上通信制御装置１０８は、端末１０９および移動局１０６，１０７と接続している。車上通信制御装置１０８は、端末１０９からのデータをアプリサーバ１００まで届けるため、無線通信を行う移動局１０６，１０７に転送する。また、車上通信制御装置１０８は、移動局１０６，１０７から転送されてきたアプリサーバ１００からのデータを、端末１０９に転送する。
【００１８】
端末１０９は、アプリサーバ１００から、音声サービス、列車の自動運転など一定周期でアップリンクのユーザデータ通信が必要なサービスの提供を受ける。端末１０９は、一定周期でアップリンクのユーザデータ通信をアプリサーバ１００に向けて送信する。
【００１９】
通信システム１は、複数の移動局１０６，１０７を搭載する移動体１１０と複数の基地局１０２，１０３に接続される地上通信制御装置１０１との間で複数の無線通信経路が存在する通信システムである。
【００２０】
つづいて、各装置の構成について説明する。まず、基地局１０２，１０３の構成について説明する。基地局１０２，１０３は同様の構成のため、基地局１０２を例にして説明する。図２は、実施の形態１に係る基地局１０２の構成例を示すブロック図である。基地局１０２は、アンテナ２００と、送受信部２０１と、制御部２０２と、有線ネットワークインターフェース部２０３と、を備える。送受信部２０１は、無線通信用のアンテナ２００に接続され、移動局１０６との間でデータ送受信を行う。制御部２０２は、基地局１０２の各部の動作および通信プロトコルを制御する。有線ネットワークインターフェース部２０３は、地上通信制御装置１０１とデータ送受信を行う。
【００２１】
つぎに、移動局１０６，１０７の構成について説明する。移動局１０６，１０７は同様の構成のため、移動局１０６を例にして説明する。図３は、実施の形態１に係る移動局１０６の構成例を示すブロック図である。移動局１０６は、アンテナ３００と、送受信部３０１と、制御部３０２と、有線ネットワークインターフェース部３０３と、を備える。送受信部３０１は、無線通信用のアンテナ３００に接続され、基地局１０２との間でデータ送受信を行う。制御部３０２は、移動局１０６の各部の動作および通信プロトコルを制御する。有線ネットワークインターフェース部３０３は、車上通信制御装置１０８とデータ送受信を行う。
【００２２】
つづいて、通信システム１において、移動局１０６，１０７の位置登録を制御する動作について説明する。本実施の形態では、移動局１０６，１０７が、位置登録を行うか否かを判定する場合について説明する。図４は、実施の形態１に係る通信システム１における移動体１１０の移動局１０６，１０７による位置登録の制御例を示すシーケンス図である。移動体１１０は、セル１０４，１０５がオーバラップした領域に存在する（ステップＳ１００）。
【００２３】
基地局１０３は、基地局識別番号「１０３」を含む報知情報を送信する。移動体１１０の移動局１０７は、基地局１０３から基地局識別番号「１０３」を含む報知情報を受信する（ステップＳ１０１）。移動局１０７では、アンテナ３００および送受信部３０１を経由して、制御部３０２が、報知情報を受信し、図５に示す位置登録の判定を行う。図５は、実施の形態１に係る移動体１１０の移動局１０６，１０７による移動体識別番号および移動局識別番号を用いた位置登録の判定を示すフローチャートである。
【００２４】
移動局１０７の制御部３０２は、報知情報で受信した基地局識別番号「１０３」が図６に示す基地局識別番号リストに登録済か否かを判定する（ステップＳ２００）。図６は、実施の形態１に係る移動局１０６，１０７が保持する基地局識別番号リストの例を示す図である。移動局１０６，１０７は、特定の基地局１０２，１０３に接続することが設定されているので、図６に示すような特定の基地局１０２，１０３を示す基地局識別番号リストを予め保持しているものとする。なお、移動局１０６，１０７は、基地局１０２，１０３からの報知情報などによって、図６に示す基地局識別番号リストの内容を更新してもよい。移動局１０６，１０７は、図６に示す基地局識別番号リストに該当する基地局１０２，１０３に位置登録する場合、位置登録を行うか否かの判定を行う。基地局識別番号「１０３」は登録済のため（ステップＳ２００：Ｙｅｓ）、移動局１０７の制御部３０２は、移動体１１０の移動体識別番号「１１０」が偶数か否かを判定する（ステップＳ２０１）。移動体１１０の移動体識別番号「１１０」は偶数のため（ステップＳ２０１：Ｙｅｓ）、移動局１０７の制御部３０２は、移動局識別番号「１０７」が偶数か否かを判定する（ステップＳ２０２）。移動局１０７の移動局識別番号「１０７」は奇数のため（ステップＳ２０２：Ｎｏ）、移動局１０７の制御部３０２は、基地局１０３に位置登録しないと判定する（ステップＳ２０５）。すなわち、移動局１０７は、位置登録判定において、位置登録しないと判定する（ステップＳ１０２）。
【００２５】
図４に示すシーケンス図に戻って、基地局１０２は、基地局識別番号「１０２」を含む報知情報を送信する。移動体１１０の移動局１０６は、基地局１０２から基地局識別番号「１０２」を含む報知情報を受信する（ステップＳ１０３）。移動局１０６では、アンテナ３００および送受信部３０１を経由して、制御部３０２が、報知情報を受信し、図５に示す位置登録の判定を行う。
【００２６】
移動局１０６の制御部３０２は、報知情報で受信した基地局識別番号「１０２」が図６に示す基地局識別番号リストに登録済か否かを判定する（ステップＳ２００）。基地局識別番号「１０２」は登録済のため（ステップＳ２００：Ｙｅｓ）、移動局１０６の制御部３０２は、移動体１１０の移動体識別番号「１１０」が偶数か否かを判定する（ステップＳ２０１）。移動体１１０の移動体識別番号「１１０」は偶数のため（ステップＳ２０１：Ｙｅｓ）、移動局１０６の制御部３０２は、移動局識別番号「１０６」が偶数か否かを判定する（ステップＳ２０２）。移動局１０６の移動局識別番号「１０６」は偶数のため（ステップＳ２０２：Ｙｅｓ）、移動局１０６の制御部３０２は、基地局１０２に位置登録すると判定する（ステップＳ２０４）。すなわち、移動局１０６は、位置登録判定において、位置登録すると判定する（ステップＳ１０４）。
【００２７】
なお、図５に示すフローチャートにおいて、基地局識別番号が登録済ではない場合（ステップＳ２００：Ｎｏ）、制御部３０２は、基地局に位置登録しないと判定する（ステップＳ２０５）。また、移動体１１０の移動体識別番号が奇数の場合（ステップＳ２０１：Ｎｏ）、制御部３０２は、移動局識別番号が奇数か否かを判定する（ステップＳ２０３）。移動局の移動局識別番号が奇数の場合（ステップＳ２０３：Ｙｅｓ）、制御部３０２は、基地局に位置登録すると判定する（ステップＳ２０４）。移動局の移動局識別番号が偶数の場合（ステップＳ２０３：Ｎｏ）、制御部３０２は、基地局に位置登録しないと判定する（ステップＳ２０５）。このように、制御部３０２は、移動体識別情報と、移動局識別情報とを用いて、基地局を介して地上通信制御装置１０１への移動局の位置登録を行うか否かを判定する。
【００２８】
図４に示すシーケンス図に戻って、移動局１０６は、基地局１０２に位置登録要求を行う（ステップＳ１０５）。位置登録要求には、移動局識別番号「１０６」の情報が含まれる。なお、位置登録要求には、端末１０９が属する移動体１１０のネットワークアドレス「１９２．１６８．１０．０」、サブネットマスク「２５５．２５５．２５５．０」、移動体識別番号「１１０」、接続した基地局１０２の基地局識別番号「１０２」などの情報が含まれていてもよい。基地局１０２は、地上通信制御装置１０１へ位置登録要求を転送する（ステップＳ１０６）。
【００２９】
位置登録要求を受信した地上通信制御装置１０１は、図７に示すように、移動体１１０についての位置登録情報を保持する。図７は、実施の形態１に係る地上通信制御装置１０１が保持する移動体１１０についての位置登録情報の例を示す図である。地上通信制御装置１０１は、移動体１１０についての位置登録情報として、ネットワークアドレス「１９２．１６８．１０．０」、サブネットマスク「２５５．２５５．２５５．０」、移動体識別番号「１１０」、移動局１０６の移動局識別番号「１０６」、移動局１０６が接続した基地局１０２の基地局識別番号「１０２」などの情報を保持する。地上通信制御装置１０１は、移動体１１０についての位置登録情報を保持すると、基地局１０２へ位置登録応答を返す（ステップＳ１０７）。
【００３０】
位置登録応答を受信した基地局１０２は、図８に示すように、移動局１０６についての位置登録情報を保持する。図８は、実施の形態１に係る基地局１０２が保持する位置登録情報の例を示す図である。基地局１０２は、移動局１０６についての位置登録情報として、ネットワークアドレス「１９２．１６８．１０．０」、サブネットマスク「２５５．２５５．２５５．０」、移動体識別番号「１１０」、移動局１０６の移動局識別番号「１０６」などの情報を保持する。基地局１０２は、移動局１０６についての位置登録情報を保持すると、移動局１０６へ位置登録応答を転送する（ステップＳ１０８）。
【００３１】
位置登録応答を受信した移動局１０６は、車上通信制御装置１０８に対して、無線通信が可能となったことを通信状態通知にて通知する（ステップＳ１０９）。通信状態通知を受信した車上通信制御装置１０８は、図９に示すように、移動局１０６の通信が可能となったことを示す通信状態情報を保持する。図９は、実施の形態１に係る車上通信制御装置１０８が保持する移動局１０６，１０７の通信状態情報の例を示す図である。車上通信制御装置１０８は、通信状態情報として、移動局識別番号「１０６」の移動局１０６が通信状態にあり、移動局識別番号「１０７」の移動局１０７が通信状態にないことを示す情報を保持する。
【００３２】
これにより、通信システム１において、アプリサーバ１００および端末１０９は、地上通信制御装置１０１、基地局１０２、移動局１０６、および車上通信制御装置１０８を経由して、データ送受信を行うことができる（ステップＳ１１０）。
【００３３】
なお、本実施の形態では、移動体１１０が備える移動局１０６，１０７の移動局識別番号について、一方の移動局の移動局識別番号を偶数とし、他方の移動局の移動局識別番号を奇数とする。
【００３４】
つづいて、移動局１０６，１０７のハードウェア構成について説明する。移動局１０６，１０７において、送受信部３０１は通信機である。有線ネットワークインターフェース部３０３は、インターフェース回路である。制御部３０２は、処理回路により実現される。処理回路は、メモリに格納されるプログラムを実行するプロセッサおよびメモリであってもよいし、専用のハードウェアであってもよい。処理回路は制御回路とも呼ばれる。
【００３５】
図１０は、実施の形態１に係る移動局１０６，１０７が備える処理回路をプロセッサおよびメモリで実現する場合の処理回路９０の構成例を示す図である。図１０に示す処理回路９０は制御回路であり、プロセッサ９１およびメモリ９２を備える。処理回路９０がプロセッサ９１およびメモリ９２で構成される場合、処理回路９０の各機能は、ソフトウェア、ファームウェア、またはソフトウェアとファームウェアとの組み合わせにより実現される。ソフトウェアまたはファームウェアはプログラムとして記述され、メモリ９２に格納される。処理回路９０では、メモリ９２に記憶されたプログラムをプロセッサ９１が読み出して実行することにより、各機能を実現する。すなわち、処理回路９０は、移動局１０６，１０７の処理が結果的に実行されることになるプログラムを格納するためのメモリ９２を備える。このプログラムは、処理回路９０により実現される各機能を移動局１０６，１０７に実行させるためのプログラムであるともいえる。このプログラムは、プログラムが記憶された記憶媒体により提供されてもよいし、通信媒体など他の手段により提供されてもよい。
【００３６】
上記プログラムは、送受信部３０１が、基地局との間でデータ送受信を行うデータ送受信ステップと、制御部３０２が、移動体の識別情報と、移動局の識別情報または基地局の識別情報とを用いて、地上通信制御装置１０１への移動局の位置登録を行うか否かを判定する制御ステップと、を移動局１０６，１０７に実行させるプログラムであるとも言える。
【００３７】
ここで、プロセッサ９１は、例えば、ＣＰＵ（Central  Processing  Unit）、処理装置、演算装置、マイクロプロセッサ、マイクロコンピュータ、またはＤＳＰ（Digital  Signal  Processor）などである。また、メモリ９２は、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３８】
図１１は、実施の形態１に係る移動局１０６，１０７が備える処理回路を専用のハードウェアで構成する場合の処理回路９３の例を示す図である。図１１に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。処理回路については、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３９】
なお、移動局１０６，１０７のハードウェア構成について説明したが、基地局１０２，１０３のハードウェア構成についても、移動局１０６，１０７のハードウェア構成と同様である。
【００４０】
以上説明したように、本実施の形態によれば、移動体１１０に複数の移動局１０６，１０７が配置されることで複数の通信経路が存在する通信システム１において、移動局１０６，１０７は、基地局から報知情報を受信した場合、移動体識別番号および移動局識別番号を用いて、位置登録を行うか否かを判定することとした。実施の形態１の例では、移動局１０６が基地局１０２への位置登録を行い、移動局１０７が基地局１０３への位置登録を行わない。これにより、移動局１０６，１０７は、移動局が集中するセルにおける位置登録を制御することで、セルにおけるアップリンクのサービス品質の低下を抑制することができる。
【００４１】
実施の形態２．
実施の形態１では、移動局１０６，１０７が、移動体識別番号および移動局識別番号を用いて、基地局に対して位置登録を行うか否かを判定していた。実施の形態２では、移動局１０６，１０７が、移動体識別番号および基地局識別番号を用いて、位置登録を行うか否かを判定する場合について説明する。
【００４２】
実施の形態２において、通信システム１、基地局１０２，１０３、および移動局１０６，１０７の構成は、それぞれ、図１から図３に示す実施の形態１のときの構成と同様である。また、実施の形態２において、通信システム１における移動体１１０の移動局１０６，１０７による位置登録の制御例のシーケンス図は、図４に示す実施の形態１のときのシーケンス図と同様である。実施の形態２では、移動局１０６，１０７による位置登録の判定方法が異なる。図１２は、実施の形態２に係る移動体１１０の移動局１０６，１０７による移動体識別番号および基地局識別番号を用いた位置登録の判定を示すフローチャートである。
【００４３】
図４に示すシーケンス図のステップＳ１００，Ｓ１０１の後、移動局１０７の制御部３０２は、報知情報で受信した基地局識別番号「１０３」が図６に示す基地局識別番号リストに登録済か否かを判定する（ステップＳ３００）。基地局識別番号「１０３」は登録済のため（ステップＳ３００：Ｙｅｓ）、移動局１０７の制御部３０２は、基地局１０３の基地局識別番号「１０３」が偶数か否かを判定する（ステップＳ３０１）。基地局１０３の基地局識別番号「１０３」は奇数のため（ステップＳ３０１：Ｎｏ）、移動局１０７の制御部３０２は、移動体識別番号「１１０」が奇数か否かを判定する（ステップＳ３０３）。移動体１１０の移動体識別番号「１１０」は偶数のため（ステップＳ３０３：Ｎｏ）、移動局１０７の制御部３０２は、基地局１０３に位置登録しないと判定する（ステップＳ３０５）。すなわち、移動局１０７は、位置登録判定において、位置登録しないと判定する（ステップＳ１０２）。
【００４４】
図４に示すシーケンス図のステップＳ１０３の後、移動局１０６の制御部３０２は、報知情報で受信した基地局識別番号「１０２」が図６に示す基地局識別番号リストに登録済か否かを判定する（ステップＳ３００）。基地局識別番号「１０２」は登録済のため（ステップＳ３００：Ｙｅｓ）、移動局１０６の制御部３０２は、基地局１０２の基地局識別番号「１０２」が偶数か否かを判定する（ステップＳ３０１）。基地局１０２の基地局識別番号「１０２」は偶数のため（ステップＳ３０１：Ｙｅｓ）、移動局１０６の制御部３０２は、移動体識別番号「１１０」が偶数か否かを判定する（ステップＳ３０２）。移動体１１０の移動局識別番号「１１０」は偶数のため（ステップＳ３０２：Ｙｅｓ）、移動局１０６の制御部３０２は、基地局１０２に位置登録すると判定する（ステップＳ３０４）。すなわち、移動局１０６は、位置登録判定において、位置登録すると判定する（ステップＳ１０４）。
【００４５】
なお、図１２に示すフローチャートにおいて、基地局識別番号が登録済ではない場合（ステップＳ３００：Ｎｏ）、制御部３０２は、基地局に位置登録しないと判定する（ステップＳ３０５）。移動体１１０の移動体識別番号が奇数の場合（ステップＳ３０２：Ｎｏ）、制御部３０２は、基地局に位置登録しないと判定する（ステップＳ３０５）。移動体１１０の移動体識別番号が奇数の場合（ステップＳ３０３：Ｙｅｓ）、制御部３０２は、基地局に位置登録すると判定する（ステップＳ３０４）。このように、制御部３０２は、移動体識別情報と、基地局識別情報とを用いて、基地局を介して地上通信制御装置１０１への移動局の位置登録を行うか否かを判定する。
【００４６】
図４に示すシーケンス図に戻って、以降の動作は、実施の形態１のときと同様である。
【００４７】
なお、本実施の形態では、基地局１０２，１０３の基地局識別番号について、一方の基地局の基地局識別番号を偶数とし、他方の基地局の基地局識別番号を奇数とする。以降の実施の形態についても同様とする。
【００４８】
以上説明したように、本実施の形態によれば、移動局１０６，１０７は、基地局から報知情報を受信した場合、移動体識別番号および基地局識別番号を用いて、位置登録を行うか否かを判定することとした。この場合においても、実施の形態１と同様の効果を得ることができる。
【００４９】
実施の形態３．
実施の形態１，２では、移動局１０６，１０７が、基地局に対して位置登録を行うか否かを判定していた。実施の形態３では、基地局１０２，１０３が、移動局の位置登録を行うか否かを判定する場合について説明する。
【００５０】
実施の形態３において、通信システム１、基地局１０２，１０３、および移動局１０６，１０７の構成は、それぞれ、図１から図３に示す実施の形態１のときの構成と同様である。図１３は、実施の形態３に係る通信システム１における基地局１０２，１０３による移動体１１０の移動局１０６，１０７の位置登録の制御例を示すシーケンス図である。移動体１１０は、セル１０４，１０５がオーバラップした領域に存在する（ステップＳ４００）。
【００５１】
基地局１０３は、基地局識別番号「１０３」を含む報知情報を送信する。移動体１１０の移動局１０７は、基地局１０３から基地局識別番号「１０３」を含む報知情報を受信する（ステップＳ４０１）。基地局１０３から報知情報を受信した移動局１０７は、基地局１０３に位置登録要求を行う（ステップＳ４０２）。位置登録要求には、移動体識別番号「１１０」および移動局識別番号「１０７」の情報が含まれるが、端末１０９が属する移動体１１０のネットワークアドレス「１９２．１６８．１０．０」、サブネットマスク「２５５．２５５．２５５．０」、接続した基地局１０３の基地局識別番号「１０３」などの情報を含んでもよい。基地局１０３では、アンテナ２００および送受信部２０１を経由して、制御部２０２が、移動局１０７からの位置登録要求を受信し、図１４に示す位置登録の判定を行う。図１４は、実施の形態３に係る基地局１０２，１０３による移動体識別番号および基地局識別番号を用いた位置登録の判定を示すフローチャートである。
【００５２】
基地局１０３の制御部２０２は、基地局１０３の基地局識別番号「１０３」が偶数か否かを判定する（ステップＳ５００）。基地局１０３の基地局識別番号「１０３」は奇数のため（ステップＳ５００：Ｎｏ）、基地局１０３の制御部２０２は、移動体識別番号「１１０」が奇数か否かを判定する（ステップＳ５０２）。移動体１１０の移動体識別番号「１１０」は偶数のため（ステップＳ５０２：Ｎｏ）、基地局１０３の制御部２０２は、移動局１０７を基地局１０３に位置登録しないと判定する（ステップＳ５０４）。すなわち、基地局１０３は、位置登録判定において、位置登録しないと判定する（ステップＳ４０３）。基地局１０３の制御部２０２は、移動局１０７へ、位置登録しないことを示す位置登録応答（ＮＧ）を返す（ステップＳ４０４）。
【００５３】
図１３に示すシーケンス図に戻って、基地局１０２は、基地局識別番号「１０２」を含む報知情報を送信する。移動体１１０の移動局１０６は、基地局１０２から基地局識別番号「１０２」を含む報知情報を受信する（ステップＳ４０５）。基地局１０２から報知情報を受信した移動局１０６は、基地局１０２に位置登録要求を行う（ステップＳ４０６）。位置登録要求には、移動体識別番号「１１０」および移動局識別番号「１０６」の情報が含まれるが、端末１０９が属する移動体１１０のネットワークアドレス「１９２．１６８．１０．０」、サブネットマスク「２５５．２５５．２５５．０」、接続した基地局１０２の基地局識別番号「１０２」などの情報を含んでもよい。基地局１０２では、アンテナ２００および送受信部２０１を経由して、制御部２０２が、移動局１０６からの位置登録要求を受信し、図１４に示す位置登録の判定を行う。
【００５４】
基地局１０２の制御部２０２は、基地局１０２の基地局識別番号「１０２」が偶数か否かを判定する（ステップＳ５００）。基地局１０２の基地局識別番号「１０２」は偶数のため（ステップＳ５００：Ｙｅｓ）、基地局１０２の制御部２０２は、移動体識別番号「１１０」が偶数か否かを判定する（ステップＳ５０１）。移動体１１０の移動体識別番号「１１０」は偶数のため（ステップＳ５０１：Ｙｅｓ）、基地局１０２の制御部２０２は、移動局１０６を基地局１０２に位置登録すると判定する（ステップＳ５０３）。すなわち、基地局１０２は、位置登録判定において、位置登録すると判定する（ステップＳ４０７）。
【００５５】
なお、図１４に示すフローチャートにおいて、基地局の基地局識別番号が偶数（ステップＳ５００：Ｙｅｓ）、かつ、移動体の移動体識別番号が奇数の場合（ステップＳ５０１：Ｎｏ）、制御部２０２は、移動局を基地局に位置登録しないと判定する（ステップＳ５０４）。また、基地局の基地局識別番号が奇数（ステップＳ５００：Ｎｏ）、かつ、移動体の移動体識別番号が奇数の場合（ステップＳ５０２：Ｙｅｓ）、制御部２０２は、移動局を基地局に位置登録すると判定する（ステップＳ５０３）。このように、制御部２０２は、移動体識別情報と、基地局識別情報とを用いて、地上通信制御装置１０１への移動局の位置登録を制御する。具体的には、制御部２０２は、移動体識別情報と、基地局識別情報とを用いて、地上通信制御装置１０１への移動局の位置登録を行うか否かを判定する。
【００５６】
図１３に示すシーケンス図に戻って、基地局１０２は、地上通信制御装置１０１へ位置登録要求を転送する（ステップＳ４０８）。位置登録要求を受信した地上通信制御装置１０１は、図７に示すように、移動体１１０についての位置登録情報を保持する。地上通信制御装置１０１は、移動体１１０についての位置登録情報を保持すると、基地局１０２へ位置登録応答を返す（ステップＳ４０９）。位置登録応答を受信した基地局１０２は、図８に示すように、移動局１０６についての位置登録情報を保持する。基地局１０２は、移動局１０６についての位置登録情報を保持すると、移動局１０６へ位置登録応答を転送する（ステップＳ４１０）。位置登録応答を受信した移動局１０６は、無線通信が可能となったことを車上通信制御装置１０８に通信状態通知にて通知する（ステップＳ４１１）。通信状態通知を受信した車上通信制御装置１０８は、図９に示すように、移動局１０６の通信が可能となったことを示す通信状態情報を保持する。
【００５７】
これにより、通信システム１において、アプリサーバ１００および端末１０９は、地上通信制御装置１０１、基地局１０２、移動局１０６、および車上通信制御装置１０８を経由して、データ送受信を行うことができる（ステップＳ４１２）。
【００５８】
以上説明したように、本実施の形態によれば、基地局１０２，１０３は、移動局から位置登録要求を受信した場合、移動体識別番号および基地局識別番号を用いて、位置登録を行うか否かを判定することとした。この場合においても、実施の形態１，２と同様の効果を得ることができる。
【００５９】
実施の形態４．
実施の形態３では、基地局１０２，１０３が、移動局の位置登録を行うか否かを判定していた。実施の形態４では、基地局１０２，１０３が、移動局に対してアップリンクの無線リソースの割り当てを行うか否かを判定する場合について説明する。
【００６０】
実施の形態４において、通信システム１、基地局１０２，１０３、および移動局１０６，１０７の構成は、それぞれ、図１から図３に示す実施の形態１のときの構成と同様である。図１５は、実施の形態４に係る通信システム１における基地局１０２，１０３による移動体１１０の移動局１０６，１０７に対するアップリンクの無線リソースの割り当ての制御例を示すシーケンス図である。移動体１１０は、セル１０４，１０５がオーバラップした領域に存在する（ステップＳ６００）。
【００６１】
基地局１０３は、基地局識別番号「１０３」を含む報知情報を送信する。移動体１１０の移動局１０７は、基地局１０３から基地局識別番号「１０３」を含む報知情報を受信する（ステップＳ６０１）。基地局１０３から報知情報を受信した移動局１０７は、基地局１０３に位置登録要求を行う（ステップＳ６０２）。位置登録要求には、移動体識別番号「１１０」および移動局識別番号「１０７」の情報が含まれるが、端末１０９が属する移動体１１０のネットワークアドレス「１９２．１６８．１０．０」、サブネットマスク「２５５．２５５．２５５．０」、接続した基地局１０３の基地局識別番号「１０３」などの情報を含んでもよい。基地局１０３では、アンテナ２００および送受信部２０１を経由して、制御部２０２が、移動局１０７からの位置登録要求を受信し、図１６に示すアップリンク無線リソース割り当ての判定を行う。図１６は、実施の形態４に係る基地局１０２，１０３による移動体識別番号および基地局識別番号を用いたアップリンク無線リソース割り当ての判定を示すフローチャートである。
【００６２】
基地局１０３の制御部２０２は、基地局１０３の基地局識別番号「１０３」が偶数か否かを判定する（ステップＳ７００）。基地局１０３の基地局識別番号「１０３」は奇数のため（ステップＳ７００：Ｎｏ）、基地局１０３の制御部２０２は、移動体識別番号「１１０」が奇数か否かを判定する（ステップＳ７０２）。移動体１１０の移動体識別番号「１１０」は偶数のため（ステップＳ７０２：Ｎｏ）、基地局１０３の制御部２０２は、移動局１０７にアップリンクの無線リソースを割り当てないと判定する（ステップＳ７０４）。すなわち、基地局１０３は、アップリンクの無線リソースの割り当て判定において、アップリンクの無線リソースを割り当てないと判定する（ステップＳ６０３）。
【００６３】
図１５に示すシーケンス図に戻って、基地局１０３は、地上通信制御装置１０１へ位置登録要求を転送する（ステップＳ６０４）。位置登録要求を受信した地上通信制御装置１０１は、図１７に示すように、移動体１１０の移動局１０７についての位置登録情報を保持する。図１７は、実施の形態４に係る地上通信制御装置１０１が保持する移動体１１０についての位置登録情報の例を示す図である。地上通信制御装置１０１は、移動体１１０についての位置登録情報として、ネットワークアドレス「１９２．１６８．１０．０」、サブネットマスク「２５５．２５５．２５５．０」、移動体識別番号「１１０」、移動局１０７の移動局識別番号「１０７」、移動局１０７が接続した基地局１０３の基地局識別番号「１０３」などの情報を保持する。地上通信制御装置１０１は、移動体１１０についての位置登録情報を保持すると、基地局１０３へ位置登録応答を返す（ステップＳ６０５）。
【００６４】
位置登録応答を受信した基地局１０３は、図１８に示すように、移動局１０７についての位置登録情報を保持する。図１８は、実施の形態４に係る基地局１０３が保持する位置登録情報の例を示す図である。基地局１０３は、移動局１０７についての位置登録情報として、ネットワークアドレス「１９２．１６８．１０．０」、サブネットマスク「２５５．２５５．２５５．０」、移動体識別番号「１１０」、移動局１０７の移動局識別番号「１０７」、アップリンク無線リソース割り当て「×」などの情報を保持する。基地局１０３は、移動局１０７についての位置登録情報を保持すると、移動局１０７へ、アップリンクの無線リソースを割り当てないことを示す位置登録応答を通知する（ステップＳ６０６）。
【００６５】
つぎに、基地局１０２は、基地局識別番号「１０２」を含む報知情報を送信する。移動体１１０の移動局１０６は、基地局１０２から基地局識別番号「１０２」を含む報知情報を受信する（ステップＳ６０７）。基地局１０２から報知情報を受信した移動局１０６は、基地局１０２に位置登録要求を行う（ステップＳ６０８）。位置登録要求には、移動体識別番号「１１０」および移動局識別番号「１０６」の情報が含まれるが、端末１０９が属する移動体１１０のネットワークアドレス「１９２．１６８．１０．０」、サブネットマスク「２５５．２５５．２５５．０」、接続した基地局１０２の基地局識別番号「１０２」などの情報を含んでもよい。基地局１０２では、アンテナ２００および送受信部２０１を経由して、制御部２０２が、移動局１０６からの位置登録要求を受信し、図１６に示すアップリンク無線リソース割り当ての判定を行う。
【００６６】
基地局１０２の制御部２０２は、基地局１０２の基地局識別番号「１０２」が偶数か否かを判定する（ステップＳ７００）。基地局１０２の基地局識別番号「１０２」は偶数のため（ステップＳ７００：Ｙｅｓ）、基地局１０２の制御部２０２は、移動体識別番号「１１０」が偶数か否かを判定する（ステップＳ７０１）。移動体１１０の移動体識別番号「１１０」は偶数のため（ステップＳ７０１：Ｙｅｓ）、基地局１０２の制御部２０２は、移動局１０６にアップリンクの無線リソースを割り当てると判定する（ステップＳ７０３）。すなわち、基地局１０２は、アップリンクの無線リソースの割り当て判定において、アップリンクの無線リソースを割り当てると判定する（ステップＳ６０９）。
【００６７】
なお、図１６に示すフローチャートにおいて、基地局１０２の基地局識別番号が偶数（ステップＳ７００：Ｙｅｓ）、かつ、移動体の移動体識別番号が奇数の場合（ステップＳ７０１：Ｎｏ）、制御部２０２は、移動局にアップリンクの無線リソースを割り当てないと判定する（ステップＳ７０４）。また、基地局１０２の基地局識別番号が奇数（ステップＳ７００：Ｎｏ）、かつ、移動体の移動体識別番号が奇数の場合（ステップＳ７０２：Ｙｅｓ）、制御部２０２は、移動局にアップリンクの無線リソースを割り当てると判定する（ステップＳ７０３）。このように、制御部２０２は、移動体識別情報と、基地局識別情報とを用いて、地上通信制御装置１０１への移動局の位置登録を制御する。具体的には、制御部２０２は、移動体識別情報と、基地局識別情報とを用いて、地上通信制御装置１０１への移動局の位置登録の際、移動局に対して移動局から基地局へのアップリンク方向の無線リソースを割り当てるか否かを判定する。
【００６８】
図１５に示すシーケンス図に戻って、基地局１０２は、地上通信制御装置１０１へ位置登録要求を転送する（ステップＳ６１０）。位置登録要求を受信した地上通信制御装置１０１は、図１７に示すように、移動体１１０の移動局１０６についての位置登録情報を保持する。地上通信制御装置１０１は、移動体１１０についての位置登録情報として、ネットワークアドレス「１９２．１６８．１０．０」、サブネットマスク「２５５．２５５．２５５．０」、移動体識別番号「１１０」、移動局１０６の移動局識別番号「１０６」、移動局１０６が接続した基地局１０２の基地局識別番号「１０２」などの情報を保持する。地上通信制御装置１０１は、移動体１１０についての位置登録情報を保持すると、基地局１０２へ位置登録応答を返す（ステップＳ６１１）。
【００６９】
位置登録応答を受信した基地局１０２は、図８に示すように、移動局１０６に関する位置登録情報を保持する。基地局１０２は、移動局１０６についての位置登録情報を保持すると、移動局１０６へ位置登録応答を転送する（ステップＳ６１２）。位置登録応答を受信した移動局１０６は、車上通信制御装置１０８に対して、無線通信が可能となったことを通信状態通知にて通知する（ステップＳ６１３）。通信状態通知を受信した車上通信制御装置１０８は、図９に示すように、移動局１０６の通信が可能となったことを示す通信状態情報を保持する。
【００７０】
これにより、通信システム１において、アプリサーバ１００および端末１０９は、地上通信制御装置１０１、基地局１０２、移動局１０６、および車上通信制御装置１０８を経由して、データ送受信を行うことができる。また、通信システム１において、アプリサーバ１００は、地上通信制御装置１０１、基地局１０３、移動局１０７、および車上通信制御装置１０８を経由して、端末１０９に対して、すなわちダウンリンクでデータを送信することができる（ステップＳ６１４）。
【００７１】
以上説明したように、本実施の形態によれば、基地局１０２，１０３は、移動局から位置登録要求を受信した場合、移動体識別番号および基地局識別番号を用いて、移動局に対してアップリンクの無線リソースの割り当てを行うか否かを判定することとした。この場合においても、実施の形態１から３と同様の効果を得ることができる。
【００７２】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略、変更することも可能である。
【符号の説明】
【００７３】
１  通信システム、１００  アプリサーバ、１０１  地上通信制御装置、１０２，１０３  基地局、１０４，１０５  セル、１０６，１０７  移動局、１０８  車上通信制御装置、１０９  端末、１１０  移動体、２００，３００  アンテナ、２０１，３０１  送受信部、２０２，３０２  制御部、２０３，３０３  有線ネットワークインターフェース部。
【要約】
複数の移動局を搭載する移動体と複数の基地局に接続される地上通信制御装置との間で複数の無線通信経路が存在する通信システムにおける移動局（１０６）であって、基地局との間でデータ送受信を行う送受信部（３０１）と、移動体の識別情報と、移動局（１０６）の識別情報または基地局の識別情報とを用いて、地上通信制御装置への移動局（１０６）の位置登録を行うか否かを判定する制御部（３０２）と、を備える。【図１】
0006840299.tif 000002
【図２】
0006840299.tif 000003
【図３】
0006840299.tif 000004
【図４】
0006840299.tif 000005
【図５】
0006840299.tif 000006
【図６】
0006840299.tif 000007
【図７】
0006840299.tif 000008
【図８】
0006840299.tif 000009
【図９】
0006840299.tif 000010
【図１０】
0006840299.tif 000011
【図１１】
0006840299.tif 000012
【図１２】
0006840299.tif 000013
【図１３】
0006840299.tif 000014
【図１４】
0006840299.tif 000015
【図１５】
0006840299.tif 000016
【図１６】
0006840299.tif 000017
【図１７】
0006840299.tif 000018
【図１８】
0006840299.tif 000019